(57)【要約】【課題】予め効率的なデータベースを作成することで、保守担当者の部品データ検索の労力を軽減する昇降機交換部品抽出システム及び抽出方法を提供する。【解決手段】ビル設備管理番号５及びその号機６から特定される昇降機について、保守工事を行う交換部品を、階層ごとに構成された一般的部品展開データベース２のバリエーションのなかから選択し、昇降機のタイプごとに部品構成を特定した個別部品展開データベース３と、各個別部品展開データベース３を、ビル設備管理番号５、昇降機の号機６、及び保守工事コード７と予め関連付けした交換部品工事コード紐付きデータベース４と、を備え、昇降機の保守時には、ビル設備管理番号５、昇降機の号機６及び保守工事コード７を指定することで、交換部品工事コード紐付きデータベース４から保守工事ごとの交換部品を抽出する。【選択図】図１
2009120360.tif 000002
【特許請求の範囲】
【請求項１】
昇降機の保守時に、昇降機の一般的部品展開データベースからその昇降機を構成する部品を検索し、交換すべき部品を抽出する昇降機交換部品抽出システムにおいて、
一般的部品展開データベースのバリエーションの中から、ビル設備管理番号及び昇降機の号機から特定される昇降機についてその集約されたタイプごとに交換部品が選択されて作成された個別部品展開データベースと、
各個別部品展開データベースを、ビル設備管理番号、昇降機の号機、及び保守工事コードと予め関連付けした交換部品工事コード紐付きデータベースと、を備え、
昇降機の保守時に、ビル設備管理番号、昇降機の号機及び保守工事コードを指定することで、交換部品工事コード紐付きデータベースから保守工事ごとの交換すべき部品を抽出することを特徴とする昇降機交換部品抽出システム。
【請求項２】
請求項１に記載の昇降機交換部品抽出システムにおいて、一般的部品展開データベースから個別部品展開データベースを作成する際には、保守工事の種別ごとに対象となる交換部品を一般的部品展開データから抽出し、保守工事コードごとに対応付けすることを特徴とする昇降機交換部品抽出システム。
【請求項３】
請求項１又は２に記載の昇降機交換部品抽出システムにおいて、個別部品展開データベースは、集約された昇降機のタイプのうち数量の多いものから優先的に関連付けされ交換部品工事コード紐付きデータベースに格納されることを特徴とする昇降機交換部品抽出システム。
【請求項４】
昇降機の保守時に、昇降機の一般的部品展開データベースからその昇降機を構成する部品を検索し、交換すべき部品を抽出する昇降機交換部品抽出方法において、
昇降機の部品を階層ごとに構成した一般的部品展開データベースから、その部品構成バリエーションごとに分類した個別部品展開データを予め選択し、個別部品展開データベースを作成するステップと、
個別部品展開データベースに予めビル設備管理番号、昇降機の号機及び保守工事コードを関連付け、交換部品工事コード紐付きデータベースとするステップと、
昇降機の保守時に、ビル設備管理番号、昇降機の号機及び保守工事コードを指定し、交換部品工事コード紐付きデータベースを検索し、工事ごとの交換部品を特定するステップと、
を備えることを特徴とする昇降機交換部品抽出方法。
【請求項５】
請求項４に記載の昇降機交換部品抽出方法において、一般的部品展開データベースから個別部品展開データを選択した後に、交換部品を保守工事の種別ごとに関係する交換部品を一般的部品展開データから抽出し、保守工事ごとに対応付けするステップを含むことを特徴とする昇降機交換部品抽出方法。
【請求項６】
請求項４又は５に記載の昇降機交換部品抽出方法において、ビル設備管理番号、昇降機の号機及び保守工事コードと、選択された個別部品展開データのデータベースとを紐付けするステップでは、集約した昇降機のタイプのうち数量の多いものから優先的に紐付けすることを特徴とする昇降機交換部品抽出方法。
【発明の詳細な説明】
【技術分野】
【０００１】
本発明は、昇降機交換部品抽出システム及び抽出方法に係り、特に、昇降機の保守時に、昇降機の一般的部品展開データベースからその昇降機を構成する部品を検索して交換すべき部品を特定する昇降機交換部品抽出システム及びその抽出方法に関する。
【背景技術】
【０００２】
建物の設置される昇降機は、例えば、５年或いは１０年といった期間ごとに保守点検が行われて昇降機を構成する部品の交換が行われる。昇降機は膨大な部品から構成される集合体であり、この昇降機を構成する部品は昇降機の製造会社により一般的部品展開データベースとして整理されて昇降機の保守会社に提供される。また、保守点検時だけではなく昇降機の故障などにより部品を交換する場合がある。
【０００３】
この一般的部品展開データベースはＢＭ展開データとも称され、昇降機を構成する品目ごとに分類され、各品目を構成する部品が階層状に分類されている。例えば、この昇降機を構成する品目としては、巻上機、ガイドシュー、ロープなどがあり、巻上機を構成する部品には、例えば、ツナ車、ギアケース、軸などがある。さらには、ツナ車は、例えば、軸受、リングナット、オイルシールなどのより詳細な部品から構成される。
【０００４】
昇降機には多様な機種や型式があり、またその設置場所の条件やクライアントの要求に合わせて個別に設計される場合もある。従って、昇降機に応じた部品構成については多様なバリエーションが発生する。例えば、巻上機の場合には、２０〜３０種類のバリエーションがあるといわれている。また、品目ごとのバリエーションが相互に組み合わせとなる場合がありさらに複雑化する。上述した一般的部品展開データベースは、これらのバリエーションを全て網羅した部品構成に関するデータの集合である。
【０００５】
一方、特許文献１には、昇降機の製造会社ネットワークと保守会社ネットワークとがエクストラネットで接続され、このエクストラネットに大容量記憶装置をデータベースとして使用したサーバが接続された昇降機の情報管理システムが開示されている。ここでは、昇降機ごとの詳細情報を、階層構造をたどることで所望の部品の図面番号（部品番号）の詳細情報を体系的に知ることができて必要な部品が特定できる。また、このデータベースには、昇降機毎詳細情報（ＢＭ展開データ）、交換部品情報、交換部品出庫情報が格納されている。
【０００６】
また、特許文献２には、短時間で必要部品を確定できる交換部品検索システムが開示されている。ここでは、担当者は予め設定された「ビル設備管理番号」、「号機」、及び手配する部品に関連する「工事コード」をシステムに入力する。システムは、これらのデータを検索キーとして「部品データ登録ＤＢ」を検索する。該当データがある場合は、以前に同一部品の取り替えを行ったことがある場合であり、そのデータから必要部品が確定できる。該当データがない場合は、「ビル設備機器仕様ＤＢ」又は「交換部品資料ＤＢ」を参照して照合し、該当部品資料及び部品リストを表示させて必要部品を確定する。
【０００７】
【特許文献１】特開２００５−１１２５１０号公報
【特許文献２】特開２０００−１７２７１３号公報
【発明の開示】
【発明が解決しようとする課題】
【０００８】
従来、昇降機の保守担当者は、保守の対象となる昇降機について交換すべき部品を特定するには、その昇降機を構成する部品を紙資料等により調査して確認しなければならない。この作業は昇降機毎に行われるため時間的なロスとなる。また、数種類の資料をつき合わせて検索するため、資料の見間違いによる誤手配が発生する虞がある。また、この検索には保守担当者の経験やノウハウがあるため担当者による時間や精度に差異が生じる。
【０００９】
また、昇降機の部品を階層ごとに構成した一般的部品展開データベースは、膨大なデータ量であり、保守担当者がその中から必要なデータを検索するのは容易ではない。
【００１０】
本願の目的は、かかる課題を解決し、予め効率的なデータベースを作成することで、保守担当者の部品データ検索の労力を軽減する昇降機交換部品抽出システム及び抽出方法を提供することを目的とする。
【課題を解決するための手段】
【００１１】
上記目的を達成するため、本発明に係る昇降機交換部品抽出システムは、昇降機の保守時に、昇降機の一般的部品展開データベースからその昇降機を構成する部品を検索し、交換すべき部品を抽出する昇降機交換部品抽出システムにおいて、一般的部品展開データベースのバリエーションの中から、ビル設備管理番号及び昇降機の号機から特定される昇降機についてその集約されたタイプごとに交換部品が選択されて作成された個別部品展開データベースと、各個別部品展開データベースを、ビル設備管理番号、昇降機の号機、及び保守工事コードと予め関連付けした交換部品工事コード紐付きデータベースと、を備え、昇降機の保守時に、ビル設備管理番号、昇降機の号機及び保守工事コードを指定することで、交換部品工事コード紐付きデータベースから保守工事ごとの交換すべき部品を抽出することを特徴とする。
【００１２】
また、昇降機交換部品抽出システムは、一般的部品展開データベースから個別部品展開データベースを作成する際には、保守工事の種別ごとに対象となる交換部品を一般的部品展開データから抽出し、保守工事コードごとに対応付けすることが好ましい。
【００１３】
さらに、昇降機交換部品抽出システムは、個別部品展開データベースが、集約された昇降機のタイプのうち数量の多いものから優先的に関連付けされ交換部品工事コード紐付きデータベースに格納されることが好ましい。
【００１４】
上記目的を達成するため、本発明に係る昇降機交換部品抽出方法は、昇降機の保守時に、昇降機の一般的部品展開データベースからその昇降機を構成する部品を検索し、交換すべき部品を抽出する昇降機交換部品抽出方法において、昇降機の部品を階層ごとに構成した一般的部品展開データベースから、その部品構成バリエーションごとに分類した個別部品展開データを予め選択し、個別部品展開データベースを作成するステップと、個別部品展開データベースに予めビル設備管理番号、昇降機の号機及び保守工事コードを関連付け、交換部品工事コード紐付きデータベースとするステップと、昇降機の保守時に、ビル設備管理番号、昇降機の号機及び保守工事コードを指定し、交換部品工事コード紐付きデータベースを検索し、工事ごとの交換部品を特定するステップと、を備えることを特徴とする。
【００１５】
また、昇降機交換部品抽出方法は、一般的部品展開データベースから個別部品展開データを選択した後に、交換部品を保守工事の種別ごとに関係する交換部品を一般的部品展開データから抽出し、保守工事ごとに対応付けするステップを含むことが好ましい。
【００１６】
さらに、昇降機交換部品抽出方法は、ビル設備管理番号、昇降機の号機及び保守工事コードと、選択された個別部品展開データのデータベースとを紐付けするステップでは、集約した昇降機のタイプのうち数量の多いものから優先的に紐付けすることが好ましい。
【発明の効果】
【００１７】
上記構成により、昇降機交換部品抽出システム及び抽出方法は、ビル設備管理番号、昇降機の号機、及び保守工事コードに紐付けされた個別部品展開データのデータベースにより、保守担当者は交換すべき部品を特定して抽出することができる。また、昇降機の部品を階層ごとに構成した一般的部品展開データベースから、昇降機毎に個別部品展開データのデータベースを予め選択することで、効率的なデータベースを作成することができる。
【００１８】
以上のように、本発明に係る昇降機交換部品抽出システム及び抽出方法によれば、予め効率的なデータベースを作成することで、保守担当者の部品データ検索の労力を軽減することが可能となる。
【発明を実施するための最良の形態】
【００１９】
以下に、図面を用いて本発明に係る昇降機交換部品抽出システム及び抽出方法の実施の形態につき、詳細に説明する。
【００２０】
（昇降機交換部品抽出システム）
図１に、昇降機交換部品抽出システムの１つの実施形態の概略構成を示す。
【００２１】
昇降機交換部品抽出システム１は、保守担当者１０が、ビル設備管理番号５、昇降機の号機６、及び保守工事コード７を入力すると、その昇降機の保守工事に必要な構成部品データ１２が出力されるシステムである。この昇降機交換部品抽出システム１は、昇降機製造メーカ１１により提供された一般的部品展開データベース２から選択され、その部品構成バリエーションごとに分類した個別部品展開データベース３、及び各個別部品展開データベース３を、ビル設備管理番号５、昇降機の号機６及び保守工事コード７と予め関連付けした交換部品工事コード紐付きデータベース４から構成される。
【００２２】
図２に、一般的部品展開データベース２の概略構成を概念的に示す。一般的部品展開データベース２は、上位情報２０及び複数の下位情報２１が階層状となって構成される。上位情報２０は、昇降機の品目表であり、例えば、「１０１巻上機」、「１２６ガイドシュー」、「１８５ロープ」などのように、昇降機を構成する主要な項目が個別の品目番号を伴って分類されている。下位情報２１は上位情報２０の品目ごとの構成部品を階層により展開するものであり、例えば、下位情報２１ａ、２１ｂ、・・・といったように複数の下位情報２１が階層を構成する。図２では、例えば、上位情報２０である「１０１巻上機」についての下位情報２１ａは、例えば、「１０１Ａ‐１ツナ車」、「１０１Ａ‐２ギアケース」、「１０１Ａ‐３軸」などである。これらの下位情報２１ａには上位情報２０の品目番号に小番が付されて表示される。この下位情報２１ａには、昇降機の機種や型式などの違いによる複数の構成部品の種類がある。図２では、説明のためにＡ及びＢの２種類だけ示すが、例えば、上位情報２０である巻上機の場合には、その種類は２０〜３０にも及ぶ。また、下位情報２１ａの「１０１Ａ‐１ツナ車」は、図２に示すように下位情報２１ｂとして、例えば、「１０１Ａ１‐１軸受」、「１０１Ａ１‐２リングナット」、「１０１Ａ１‐３オイルシール」などに展開される。この下位情報２１ｂも、昇降機の機種や型式などの違いにより複数の構成部品の種類がある。図２では、説明のためにＡ１及びＡ２の２種類だけ示す。このように、一般的部品展開データベース２により昇降機を構成する各品目が階層状に展開されて末端の部品まで含めた情報が体系的に整理される。また、一般的部品展開データベース２には、昇降機に関する全ての部品構成の種類、例えば、Ａ，Ｂ，Ｃ・・・が下位情報２１ａに含まれ、さらに、Ａ１，Ａ２，Ａ３・・・が下位情報２１ｂに含まれる。
【００２３】
この一般的部品展開データベース２の上位情報２０には、部品情報だけではなく組立情報も含まれ、また、その部品の図面番号も情報として含まれる。そして、下位情報２１には、例えば、その部品の材料、規格、数量、下位レベルの有無、交換部品や代替品などの情報が含まれる。
【００２４】
保守担当者１０は、一般的部品展開データベース２から保守すべき昇降機を構成する部品を検索することができる。しかし、一般的部品展開データベース２は、膨大なデータであり、また、各上位情報２０である品目は、それぞれ複数の下位情報２１の部品群から構成されるために、その組み合わせのバリエーションは多岐にわたる。また、ある部品が、部品構成の種類によっては階層の異なる下位情報２１にそれぞれ位置付けされる場合がありバリエーションの展開はさらに複雑となる場合がある。
【００２５】
図３に、個別部品展開データベース３の概略構成を概念的に示す。個別部品展開データベース３は、この一般的部品展開データベース２に基づき、その部品構成を昇降機の集約されたタイプごとに分類したデータベースである。すなわち、予め昇降機ごとに部品構成データ２２のタイプの種類を抽出し、それぞれのタイプにおける保守工事を行う部位の上位情報２０について、下位情報２１を階層状にデータベース化する。例えば、そのタイプが００２６である昇降機の上位情報２０である「１０１巻上機」については、下位情報２１ａについては、Ａ，Ｂ，Ｃ・・・のバリエーションのなかで「Ａ」であり、さらに、下位情報２１ｂについては、Ａ１，Ａ２，Ａ３のバリエーションのなかで「Ａ２」であることが示される。さらに、これらの下位情報２１は、より下位の２１ｃ、２１ｄ・・・により構成される場合がある。
【００２６】
この個別部品展開データベース３を一般的部品展開データベース２から選択する際には、保守工事の種別ごとに関係する交換部品を一般的部品展開データベース２から抽出し、保守工事ごとに対応付けする。すなわち、昇降機の保守工事には、定期的な保守点検により部品を交換する場合、故障に対応して部品を交換する場合などがある。これらの保守工事は、それぞれ関連する交換部品が異なるため、保守工事ごとに交換すべき部品を対応付けておく。例えば、図３では、保守工事の種別は保守工事コード０１３とされ、「巻上機保守工事」を表す。そして、この保守工事コード７に基づき巻き上げ機の保守工事に関連する上位情報２０（品目表）が抽出される。
【００２７】
図４に、交換部品工事コード紐付きデータベース４の概略構成を概念的に示す。昇降機の保守時には、ビル設備管理番号５、昇降機の号機６及び保守工事コード７を指定することで、交換部品工事コード紐付きデータベース４から保守工事ごとの交換部品が抽出される。すなわち、ビル設備管理番号５とは昇降機の保守会社の顧客が保有する建物の管理番号である。その建物に複数の昇降機がある場合には、昇降機の号機６が設定される。例えば、図４に示すように、Ｎ０１号機が選択されると保守工事の種類を示す保守コード０１３〜０２２が示される。このうち保守工事コード０１３を選択すると個別部品展開データベース３が示される。従って、ビル設備管理番号５及び昇降機の号機６から昇降機のタイプが特定され、保守工事コード７が指定されることで、個別部品展開データベース３が確定し、保守工事ごとの交換部品が抽出される。
【００２８】
個別部品展開データベース３を作成する際には、集約された昇降機のタイプのうち数量の多いものから優先的に関連付けされ交換部品工事コード紐付きデータベース４に格納することが好ましい。これは、昇降機の交換部品を交換する際に、昇降機のタイプのうち数量の多いものであれば一括して発注することができ、発注作業の手間が省けるからである。また、数量の多いものであれば、その昇降機の台数も多く、部品を検索する総合的な作業時間を抑制できるからである。
【００２９】
（昇降機交換部品抽出方法）
図５及び図６に、本発明に係る昇降機交換部品抽出方法の１つの実施形態のフローを示す。各ステップはＳ１〜Ｓ９の符号により示す。図５は、交換部品工事コード紐付きデータベース４の作成に関するステップを示す。まず、昇降機製造メーカ１１から供給された一般的部品展開データベース２から、その部品構成のバリエーションごとに分類した個別部品展開データを予め選択し、個別部品展開データベース３を作成する（Ｓ１）。次に、保守工事の種別ごとに関係する交換部品を一般的部品展開データベース２から抽出し、保守工事ごとに対応付けする（Ｓ２）。次に、個別部品展開データベース３に予めビル設備管理番号５、昇降機の号機６、及び保守工事コード７を紐付けする（Ｓ３）。これにより、交換部品工事コード紐付きデータベース４が完成する（Ｓ４）。そして、新たな昇降機が発生したか否かが判断される（Ｓ５）。新たな昇降機が発生した場合には、ステップ１に戻り交換部品工事コード紐付きデータベース４が追加され、新たな昇降機が発生しない場合には交換部品工事コード紐付きデータベース４の作成作業が終了する。
【００３０】
図６は、交換部品工事コード紐付きデータベース４の利用に関するステップを示す。まず、昇降機の保守工事が発生する（Ｓ６）。そうすると、保守員はビル設備管理番号５、昇降機の号機６、及び保守工事コード７を指定する（Ｓ７）。そして、交換部品工事コード紐付きデータベース４を検索し、工事ごとの交換部品を特定する（Ｓ８）。さらに、新たな保守工事が発生したか否かが判断され（Ｓ９）、新たな保守工事が発生した場合には、ステップ６に戻り、新たな保守工事が発生しない場合には、交換部品工事コード紐付きデータベース４の利用が終了する。
【００３１】
このように、本発明に係る昇降機交換部品抽出方法３０によれば、予め効率的なデータベースを作成することで、保守担当者の部品データ検索の労力を軽減することが可能となる。
【図面の簡単な説明】
【００３２】
【図１】本発明に係る昇降機交換部品抽出システムの１つの実施形態の概略構成を示すブロック図である。
【図２】一般的部品展開データベースの概略構成を概念的に示す説明図である。
【図３】個別部品展開データベースの概略構成を概念的に示す説明図である。
【図４】交換部品工事コード紐付きデータベースの概略構成を概念的に示す説明図である。
【図５】本発明に係る昇降機交換部品抽出方法のうち交換部品工事コード紐付きデータベースの作成に関する１つの実施形態を示すフロー図である。
【図６】本発明に係る昇降機交換部品抽出方法のうち交換部品工事コード紐付きデータベースの利用に関する１つの実施形態を示すフロー図である。
【符号の説明】
【００３３】
１  昇降機交換部品抽出システム、２  一般的部品展開データベース、３  個別部品展開データベース、４  交換部品工事コード紐付きデータベース、５  ビル設備管理番号、６  昇降機の号機、７  保守工事コード、１０  保守担当者、１１  昇降機製造メーカ、２０  上位情報、２１  下位情報、２２  部品構成データ、３０  昇降機交換部品抽出方法。
【図１】
2009120360.tif 000003
【図２】
2009120360.tif 000004
【図３】
2009120360.tif 000005
【図４】
2009120360.tif 000006
【図５】
2009120360.tif 000007
【図６】
2009120360.tif 000008